(57)【要約】【課題】カラープロファイルを補正可能にし、他の利用者との共有を可能にする。【解決手段】カラープロファイル提供装置は、画像データに基づいて画像を形成する画像形成装置に対応する前記画像データの色を補正するための複数のカラープロファイルを記憶する記憶部と、前記複数のカラープロファイルのうちの選択されたカラープロファイルの色補正処理を行う補正部と、前記色補正処理が行われた後の前記カラープロファイルを、前記記憶部に登録する登録処理部とを備えたものである。前記登録処理部は、ユーザにより入力されたプロファイル情報と、前記色補正処理が行われた後の前記カラープロファイルとを、関連付けて前記記憶部に登録する。【選択図】図１
2018107838.tif 000002
【特許請求の範囲】
【請求項１】
画像データに基づいて画像を形成する画像形成装置に対応する前記画像データの色を補正するための複数のカラープロファイルを記憶する記憶部と、
前記複数のカラープロファイルのうちの選択されたカラープロファイルの色補正処理を行う補正部と、
前記色補正処理が行われた後の前記カラープロファイルを、前記記憶部に登録する登録処理部と
を備え、
前記登録処理部は、ユーザにより入力されたプロファイル情報と、前記色補正処理が行われた後の前記カラープロファイルとを、関連付けて前記記憶部に登録する
カラープロファイル提供装置。
【請求項２】
前記カラープロファイルにおけるプロファイル情報は、
前記カラープロファイルが解決する課題情報と、
前記カラープロファイルによる色変化情報と、
前記カラープロファイルの特徴を示すキーワード情報と、
のうちの少なくとも１つを含む
請求項１に記載のカラープロファイル提供装置。
【請求項３】
前記記憶部内の前記複数のカラープロファイルにおいて、所定のカラープロファイルに類似するカラープロファイルである類似プロファイルを検索する、検索部を更に備え、
前記検索部による検索結果では、前記課題情報および前記色変化情報のうちの少なくとも一方が表示される
請求項２に記載のカラープロファイル提供装置。
【請求項４】
前記記憶部内の前記複数のカラープロファイルにおいて、所定のカラープロファイルに類似するカラープロファイルである類似プロファイルを検索する、検索部を更に備えた
請求項１ないし請求項３のいずれか１項に記載のカラープロファイル提供装置。
【請求項５】
前記検索部は、前記所定のカラープロファイルと基準プロファイルとの間の差分情報に基づいて、前記類似プロファイルの検索を行う
請求項４に記載のカラープロファイル提供装置。
【請求項６】
前記差分情報は、前記記憶部に記憶された前記カラープロファイルの多次元ルックアップテーブルを用いて求められる
請求項５に記載のカラープロファイル提供装置。
【請求項７】
前記登録処理部は、前記差分情報も前記記憶部に登録する
請求項５または請求項６に記載のカラープロファイル提供装置。
【請求項８】
前記補正部は、前記色補正処理の際に、
前記カラープロファイルの色の濃度を示すガンマ値と、
前記カラープロファイルの色毎の色合いを示す色相値と、
前記カラープロファイルの色毎の明度及び彩度を示す明度彩度値と、
のうちの少なくとも１つを補正する
請求項１ないし請求項７のいずれか１項に記載のカラープロファイル提供装置。
【請求項９】
前記複数のカラープロファイルを統合する統合部を更に備えた
請求項１ないし請求項８のいずれか１項に記載のカラープロファイル提供装置。
【請求項１０】
前記統合部は、前記複数のカラープロファイルを、これらのカラープロファイルの特徴を強めあう加算方式を用いて統合する
請求項９に記載のカラープロファイル提供装置。
【請求項１１】
前記統合部は、前記複数のカラープロファイルを、これらのカラープロファイルの特徴を平均化する平均方式を用いて統合する
請求項９に記載のカラープロファイル提供装置。
【請求項１２】
請求項１ないし請求項１１のいずれか１項に記載のカラープロファイル提供装置を備えた
画像形成装置。
【発明の詳細な説明】
【技術分野】
【０００１】
本発明は、画像データの色を補正するカラープロファイルを提供するカラープロファイル提供装置及び画像形成装置に関するものである。
【背景技術】
【０００２】
画像形成装置は、画像データを入力して用紙等の記録媒体に画像を形成する装置である。この画像形成装置では、記録媒体の種類に対応した最適な画像を形成するために、画像データを補正するためのカラープロファイルが使用されている。画像形成装置の利用者は、必要に応じてインターネット等のネットワークに接続し、画像形成装置のメーカ等が提供するカラープロファイル提供装置からカラープロファイルを取得していた。
【０００３】
従来、例えば、特許文献１等には、色変換パラメータとしてのカラープロファイルを提供するカラープロファイル提供装置が記載されている。このカラープロファイル提供装置は、画像を形成する記録媒体が画像形成装置のメーカ等が提供する記録媒体（以下、「純正品」という。）であるか否かを判定する第一の判定手段を有する。この第一の判定手段は、記録媒体が純正品である場合、画像形成装置が記憶しているカラープロファイルから最適なカラープロファイルを選択し、記録媒体が純正品ではない場合、外部のネットワークに接続されたカラープロファイル提供装置からカラープロファイルを取得する。
【先行技術文献】
【特許文献】
【０００４】
【特許文献１】特開２００６−２１８８０３号公報
【発明の概要】
【発明が解決しようとする課題】
【０００５】
しかしながら、従来のカラープロファイル提供装置及び画像形成装置では、カラープロファイル提供装置から取得したカラープロファイルを画像形成装置の利用者の好みに合わせて更に補正し、他の利用者と共有することが容易ではないという課題があった。
【課題を解決するための手段】
【０００６】
本発明のカラープロファイル提供装置は、画像データに基づいて画像を形成する画像形成装置に対応する前記画像データの色を補正するための複数のカラープロファイルを記憶する記憶部と、前記複数のカラープロファイルのうちの選択されたカラープロファイルの色補正処理を行う補正部と、前記色補正処理が行われた後の前記カラープロファイルを、前記記憶部に登録する登録処理部とを備えたものである。前記登録処理部は、ユーザにより入力されたプロファイル情報と、前記色補正処理が行われた後の前記カラープロファイルとを、関連付けて前記記憶部に登録する。
【０００７】
本発明の画像形成装置は、上記本発明のカラープロファイル提供装置を備えたものである。
【発明の効果】
【０００８】
本発明のカラープロファイル提供装置及び画像形成装置によれば、画像形成装置の利用者が好みに合わせてカラープロファイルを選択し、そのカラープロファイルを補正することが可能になる。更に、補正後のカラープロファイルを記憶部で記憶できるようにしたので、カラープロファイルを他の利用者と共有できる。
【図面の簡単な説明】
【０００９】
【図１】図１は図２中のプロファイルサーバ３０を示す機能ブロック図である。
【図２】図２は本発明の実施例１におけるカラープロファイル提供システム１を示す概略の構成図である。
【図３】図３は図２中のＰＣ１０を示す機能ブロック図である。
【図４】図４は図２中のプリンタ２０を示す機能ブロック図である。
【図５】図５は図１中のプロファイルデータベース３３ａの記憶内容の例を示す図である。
【図６】図６は図１中のＤＬＵＴ３６ａの例を示す模式図である。
【図７】図７は図３中のプロファイル検索画面４０の例を示す図である。
【図８】図８は図３中のプロファイル補正統合画面５０の例を示す図である。
【図９】図９は図３中のプロファイル登録画面６０の例を示す図である。
【図１０】図１０は図１のプロファイルサーバ３０の検索処理の動作を示すフローチャートである。
【図１１】図１１は図１のプロファイルサーバ３０の補正統合処理の動作を示すフローチャートである。
【図１２】図１２は図１のプロファイルサーバ３０の登録処理の動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１におけるカラープロファイル提供システム１を示す概略の構成図である。
【００１２】
カラープロファイル提供システム１は、ローカルエリアネットワーク（ＬＡＮ）等のネットワーク２を有している。ネットワーク２には、情報処理装置としてのパーソナルコンピュータ（以下「ＰＣ」という。）１０と、画像形成装置としてのプリンタ２０と、カラープロファイル提供装置としてのプロファイルサーバ３０と、が通信可能な状態で接続されている。
【００１３】
ＰＣ１０は、ネットワーク２を介してプロファイルサーバ３０に対してカラープロファイルＣＰを入出力する機能を有している。更に、ＰＣ１０は、プロファイルサーバ３０へ検索命令ＲＣ、補正命令ＳＣ、統合命令ＵＣ、及び登録命令ＥＣを出力し、プリンタ２０へ画像データＩＤ及びカラープロファイルＣＰを出力する機能を有している。
【００１４】
カラープロファイルＣＰは、プリンタ２０が画像を形成する際に画像データＩＤを補正するためのデータである。検索命令ＲＣは、プロファイルサーバ３０が記憶するカラープロファイルＣＰを所定の条件で検索させてＰＣ１０に出力させるための命令信号である。補正命令ＳＣは、プロファイルサーバ３０が記憶するカラープロファイルＣＰを補正させるための命令信号である。統合命令ＵＣは、プロファイルサーバ３０が記憶する複数のカラープロファイルＣＰを１つに統合させるための命令信号である。登録命令ＥＣは、補正命令ＳＣによる補正後のカラープロファイルＣＰと、統合命令ＵＣによる統合後のカラープロファイルＣＰと、のいずれか一方をプロファイルサーバ３０に記憶させるための命令信号である。
【００１５】
プリンタ２０は、例えば、画像を形成するカラー電子写真プリンタであり、ＰＣ１０から画像データＩＤ及びカラープロファイルＣＰを入力し、このカラープロファイルＣＰに基づいて画像データＩＤを補正し、補正後の画像データＩＤに基づいて用紙等の記録媒体に画像を形成する機能を有している。
【００１６】
プロファイルサーバ３０は、ＰＣ１０から検索命令ＲＣ、補正命令ＳＣ、統合命令ＵＣ、及び登録命令ＥＣを入力する機能を有している。更に、プロファイルサーバ３０は、検索命令ＲＣを入力してカラープロファイルＣＰを検索し、補正命令ＳＣ又は統合命令ＵＣを入力してカラープロファイルＣＰを補正又は統合し、登録命令ＥＣを入力してカラープロファイルＣＰを記憶する機能を有している。
【００１７】
図３は、図２中のＰＣ１０を示す機能ブロック図である。
ＰＣ１０は、中央演算装置（以下「ＣＰＵ」という。）等により構成される制御部１１を有している。制御部１１は、装置全体をプログラム制御する機能を有し、プリンタ２０が画像を形成するための画像データＩＤ、検索命令ＲＣ、補正命令ＳＣ、統合命令ＵＣ、及び登録命令ＥＣを作成する装置である。制御部１１は、システムバスを介して入出力部１２、表示部１３、及び記憶部１４に接続されている。
【００１８】
入出力部１２は、制御部１１等と図２のプリンタ２０及びプロファイルサーバ３０とを通信可能に接続する装置である。入出力部１２は、プロファイルサーバ３０に対してカラープロファイルＣＰを入出力する機能を有している。更に、入出力部１２は、プロファイルサーバ３０へ検索命令ＲＣ、補正命令ＳＣ、統合命令ＵＣ、及び登録命令ＥＣを出力し、プリンタ２０へ画像データＩＤ及びカラープロファイルＣＰを出力する機能を有している。入出力部１２は、例えば、ＵＳＢ（Universal  Serial  Bus）規格のインタフェース（以下「Ｉ／Ｆ」という。）や、ＴＣＰ／ＩＰ（Transport  Control  Protocol/Internet  Protocol）規格のＩ／Ｆ等により構成されている。
【００１９】
表示部１３は、プロファイル検索画面４０、プロファイル補正統合画面５０、及びプロファイル登録画面６０を表示する機能を有している。プロファイル検索画面４０、プロファイル補正統合画面５０、及びプロファイル登録画面６０は、インターネットブラウザ上の操作画面である。表示部１３は、例えば、液晶ディスプレイ等により構成されている。
【００２０】
記憶部１４は、ＰＣ１０内の各種情報を記憶するための装置であり、ＲＯＭ（Read  Only  Memory）、ＲＡＭ（Random  Access  Memory）、又はハードディスク（以下、「ＨＤＤ」という。）等により構成されている。記憶部１４には、基準カラープロファイルＳＰ、カラープロファイルＣＰ、及び画像データＩＤが記憶されている。基準カラープロファイルＳＰは、プリンタ２０が画像を形成する際に画像データＩＤを補正するために予め定められたデータであり、プリンタ２０を操作するためのプリンタドライバをＰＣ１０にインストールする際に、記憶部１４に記憶されたものである。カラープロファイルＣＰは、プロファイルサーバ３０から入出力部１２を介して入力したものである。画像データＩＤは、制御部１１で作成されたデータである。
【００２１】
図４は、図２中のプリンタ２０を示す機能ブロック図である。
プリンタ２０は、ＣＰＵ等により構成される制御部２１を有している。制御部２１は、装置全体をプログラム制御する装置であり、カラープロファイルＣＰに基づいて画像データＩＤを補正する機能を有している。制御部２１は、システムバスを介して入力部２２、記憶部２３、及び画像形成部２４に接続されている。入力部２２は、制御部２１等と図２のＰＣ１０とを通信可能に接続する装置であり、ＰＣ１０から画像データＩＤ及びカラープロファイルＣＰを入力する機能を有している。入力部２２は、例えば、ＵＳＢ規格のＩ／Ｆや、ＴＣＰ／ＩＰ規格のＩ／Ｆ等により構成されている。
【００２２】
記憶部２３は、プリンタ２０内の各種情報を記憶するための装置であり、ＲＯＭ、ＲＡＭ、又はＨＤＤ等により構成されている。記憶部２３は、基準カラープロファイルＳＰ、カラープロファイルＣＰ、及び画像データＩＤを記憶している。基準カラープロファイルＳＰは、プリンタ２０のメーカ等により予め記憶されたものである。カラープロファイルＣＰは、ＰＣ１０から入出力部２２を介して入力したものである。画像データＩＤは、ＰＣ１０から入出力部２２を介して入力され、制御部２１により補正されたものである。画像形成部２４は、記憶部２３内の画像データＩＤを読み出して画像を形成する機能を有している。
【００２３】
図１は、図２中のプロファイルサーバ３０を示す機能ブロック図である。
プロファイルサーバ３０は、ＣＰＵ等により構成される制御部３１を有している。制御部３１は、装置全体をプログラム制御する装置であり、ＰＣ１０から入力された検索命令ＲＣ、補正命令ＳＣ、統合命令ＵＣ、及び登録命令ＥＣに対応して各種処理を行う機能を有している。制御部３１は、入力システムバスを介して、入出力部３２、プロファイル記憶部３３、キーワード抽出部３４、プロファイル検索部３５、差分抽出部３６、プロファイル補正部３７、プロファイル統合部３８、及び制御指示部３９に接続されている。
【００２４】
入出力部３２は、制御部３１等と図２のＰＣ１０とを通信可能に接続する出力手段としての装置である。入出力部３２は、ＰＣ１０から検索命令ＲＣ、補正命令ＳＣ、統合命令ＵＣ、及び登録命令ＥＣを入力し、ＰＣ１０に対してカラープロファイルＣＰを入出力する機能を有している。入出力部３２は、例えば、ＵＳＢ規格のＩ／Ｆや、ＴＣＰ／ＩＰ規格のＩ／Ｆ等により構成されている。
【００２５】
記憶部としてのプロファイル記憶部３３は、プロファイルサーバ３０内の各種情報を記憶するための装置であり、ＲＯＭ、ＲＡＭ、又はＨＤＤ等により構成されている。プロファイル記憶部３３は、カラープロファイルＣＰ、基準カラープロファイルＳＰ及びプロファイルデータベース３３ａを記憶している。カラープロファイルＣＰは、入出力部３２を介して、ＰＣ１０に対して入出力を行うものであり、登録命令ＥＣに基づいてＰＣ１０から入力されたカラープロファイルＣＰも含まれる。なお、一般的に基準カラープロファイルＳＰは、互換性を持たせるためにプリンタ２０のメーカ等によらずに定められた設定値に基づき決定されたものである。プロファイルデータベース３３ａは、カラープロファイルＣＰの特徴を示すカラープロファイル情報を記憶するためのものである。
【００２６】
キーワード抽出部３４は、プロファイルデータベース３３ａ内のカラープロファイル情報から、カラープロファイルＣＰの特徴を示すキーワード情報を抽出する機能を有している。キーワード抽出部３４では、一般に文字列に対するデータ解析手法として用いられるテキストマイニング等が用いられる。
【００２７】
検索部としてのプロファイル検索部３５は、検索命令ＲＣにより定められた条件でプロファイルデータベース３３ａを検索し、プロファイル記憶部３３からカラープロファイルＣＰを出力する機能を有している。比較部としての差分抽出部３６は、カラープロファイルＣＰ及び基準カラープロファイルＳＰに基づいて多次元ルックアップテーブル（以下「ＤＬＵＴ」という。）３６ａを記憶し、このＤＬＵＴ３６ａを用いてカラープロファイルＣＰと基準カラープロファイルＳＰとの差分を求め、所定のカラープロファイルＣＰに類似するカラープロファイルＣＰを求める機能を有している。
【００２８】
補正部としてのプロファイル補正部３７は、補正命令ＳＣに基づき、カラープロファイルＣＰの色の濃度を示すガンマ値、色毎の色合いを示す色相値、及び色毎の明度及び彩度を示す明度彩度値を補正して出力する機能を有している。統合部としてのプロファイル統合部３８は、統合命令ＵＣに基づき、複数のカラープロファイルＣＰを、これらのカラープロファイルＣＰの特徴を強めあう加算方式と、これらのカラープロファイルＣＰの特徴を平均化する平均方式と、のいずれか一方にて統合して出力する機能を有している。
【００２９】
制御指示部３９は、ＰＣ１０内の表示部１３に表示されるプロファイル検索画面４０、プロファイル補正統合画面５０、及びプロファイル登録画面６０に入力される入力情報に基づいて、ＰＣ１０へ出力する情報を作成し、入出力部３２を介して出力する機能を有している。
【００３０】
図５は、図１中のプロファイルデータベース３３ａの記憶内容の例を示す図である。
プロファイルデータベース３３ａは、プロファイル記憶部３３に記憶されたカラープロファイルＣＰの特徴を示すカラープロファイル情報を記憶するものである。カラープロファイルＣＰには、これらを識別するためのＩＤ３３ａ１が付与され、プロファイルデータベース３３ａに記憶されている。プロファイルデータベース３３ａは、ＩＤ３３ａ１に対応して、課題３３ａ２、キーワード情報３３ａ３、コメント３３ａ４、及びファイル名としてのプロファイルデータ３３ａ５を有している。
【００３１】
課題３３ａ２は、カラープロファイルＣＰが解決する課題であり、例えば、「桃色が紫っぽい」、「赤が汚い対策」等が記憶されている。キーワード情報３３ａ３は、キーワード抽出部３４にて課題３３ａ２及びコメント３３ａ４から抽出されたカラープロファイルＣＰの特徴を示す文言であり、例えば、「桜、春、紫、鮮やか」、「赤、くすむ、鮮やか、桜」等が記憶されている。コメント３３ａ４は、課題３３ａ２の解決手段であり、例えば、「桜の花びらを美しく」、「桜の花がくすまない」等が記憶されている。プロファイルデータ３３ａ５は、カラープロファイルＣＰのファイル名であり、例えば、「xxx.icc」、「yyy.icc」等が記憶されている。
【００３２】
図６は、図１中のＤＬＵＴ３６ａの例を示す模式図である。
図６に示すＤＬＵＴ３６ａの縦軸は、明度Ｌと補色次元ａ，ｂにより表されるＬａｂ色空間におけるカラープロファイルＣＰの明度Ｌを示し、横軸は、カラープロファイルＣＰの補色次元ａを示し、奥行き軸は、カラープロファイルＣＰの補色次元ｂを示している。ＤＬＵＴ３６ａの座標点Ｐ１は、カラープロファイルＣＰを示す任意の座標点であり、座標点Ｐ２は、基準カラープロファイルＳＰを示す座標点である。カラープロファイルＣＰは、差分抽出部３６において基準カラープロファイルＳＰとの差分が、明度Ｌ、補色次元ａ，ｂについてそれぞれ算出され、ＤＬＵＴ３６ａに記憶される。座標点Ｐ１におけるカラープロファイルＣＰは、例えば、基準カラープロファイルＳＰと比較して、明度Ｌが２、補色次元ａが１、補色次元ｂが１の差分値を有する。
【００３３】
図７は、図３中のプロファイル検索画面４０の例を示す図である。
プロファイル検索画面４０は、図３のＰＣ１０が検索命令ＲＣを出力するために表示部１３に表示する画面である。プロファイル検索画面４０の左上部には、課題検索テキストボックス４１、キーワード検索テキストボックス４２、カラープロファイル検索テキストボックス４３が入力可能に設けられている。カラープロファイル検索テキストボックス４３の下方には、検索結果表示欄４４が設けられ、表示された検索結果が選択可能になっている。検索結果表示欄４４の下方には、登録ボタン４５が押下可能に設けられている。更に、プロファイル検索画面４０の右側にはプレビュー画面４６が表示されている。
【００３４】
課題検索テキストボックス４１は、課題入力欄４１ａ及び検索開始ボタン４１ｂを有している。キーワード検索テキストボックス４２は、キーワード入力欄４２ａ及び検索開始ボタン４２ｂを有している。カラープロファイル検索テキストボックス４３は、ファイル名入力欄４３ａ、ファイル参照ボタン４３ｂ及び検索開始ボタン４３ｃを有している。
【００３５】
課題入力欄４１ａは、検索するための課題を入力する欄であり、例えば、「桃色が紫っぽい」と入力されている。検索開始ボタン４１ｂは、押下されると図５のプロファイルデータベース３３ａ内のキーワード情報３３ａ３において、課題入力欄４１ａに入力した「桃色が紫っぽい」から抽出したキーワードが存在するか否かを検索するためのボタンである。
【００３６】
キーワード入力欄４２ａは、検索するためのキーワードを入力する欄であり、例えば、「桜」と入力されている。検索開始ボタン４２ｂは、押下されるとプロファイルデータベース３３ａ内のキーワード情報３３ａ３において、キーワード入力欄４２ａに入力した「桜」が存在するか否かを検索するためのボタンである。
【００３７】
ファイル名入力欄４３ａは、検索するためのファイル名を入力する欄であり、例えば、「xxx.icc」と入力されている。ファイル参照ボタン４３ｂは、図３のＰＣ１０内の記憶部１４に存在するカラープロファイルＣＰを参照するためのボタンである。検索開始ボタン４３ｃは、押下されるとプロファイルデータベース３３ａ内のプロファイルデータ３３ａ５において、ファイル名入力欄４３ａに入力した「xxx.icc」が存在するか否かを検索するためのボタンである。
【００３８】
検索結果表示欄４４は、検索開始ボタン４１ｂ，４２ｂ，４３ｃの押下によりプロファイルデータベース３３ａが検索されたカラープロファイルＣＰの課題を表示するためのものである。登録ボタン４５は、検索結果表示欄４４に表示された検索結果を選択した選択結果に対応するカラープロファイルＣＰをＰＣ１０に出力するためのボタンである。プレビュー画面４６は、検索結果表示欄４４にて選択した選択結果に対応するカラープロファイルＣＰを適用した画像の例を表示するためのものである。
【００３９】
図８は、図３中のプロファイル補正統合画面５０の例を示す図である。
プロファイル補正統合画面５０は、図３のＰＣ１０が補正命令ＳＣ及び統合命令ＵＣを出力するために表示部１３に表示する画面である。プロファイル補正統合画面５０の左上部及び左中央部には、色調補正チェックボックス５１と統合チェックボックス５２とが設けられ、いずれか一方を選択可能になっている。色調補正チェックボックス５１の右側には、カラープロファイル入力テキストボックス５３が入力可能に設けられている。色調補正チェックボックス５１及びカラープロファイル入力テキストボックス５３の下方には、補正操作欄５４が入力可能に設けられている。統合チェックボックス５２の下方には、統合操作欄５５が入力可能に設けられている。統合操作欄５５の下方には、プレビューボタン５６及び登録ボタン５７が押下可能に設けられている。更に、プロファイル補正統合画面５０の右側にはプレビュー画面５８が表示されている。
【００４０】
カラープロファイル入力テキストボックス５３は、ファイル名入力欄５３ａ及びファイル参照ボタン５３ｂを有している。補正操作欄５４は、ガンマ補正スライダ５４ａ、色相補正スライダ５４ｂ、及び明度彩度補正スライダ５４ｃを有している。統合操作欄５５は、統合選択欄５５ａ、ファイル名入力欄５５ｂ、ファイル参照ボタン５５ｃ、ファイル名入力欄５５ｄ、及びファイル参照ボタン５５ｅを有している。
【００４１】
色調補正チェックボックス５１は、図３のＰＣ１０が補正命令ＳＣを出力するために選択するボタンである。統合チェックボックス５２は、ＰＣ１０が統合命令ＵＣを出力するために選択するボタンである。ファイル名入力欄５３ａは、補正対象のファイル名を入力する欄であり、例えば、「xxx.icc」と入力されている。ファイル参照ボタン５３ｂは、図３のＰＣ１０内の記憶部１４に存在するカラープロファイルＣＰを参照するためのボタンである。
【００４２】
ガンマ補正スライダ５４ａ、色相補正スライダ５４ｂ、及び明度彩度補正スライダ５４ｃは、カラープロファイルＣＰにおいて、ガンマ値、色相値、及び明度彩度値をそれぞれ補正するためのものである。ガンマ補正スライダ５４ｂは、例えば、右に移動するとガンマ値が大きくなって色の濃度が濃くなり、左に移動するとガンマ値が小さくなって色の濃度が薄くなる。色相補正スライダ５４ｃは、色相値を補正することで色味を変化させるものであり、例えば、左に移動すると所定の色（例えば、赤色）が黄色がかった色に変化し、右に移動すると所定の色（例えば、黄色）が赤色がかった色に変化する。明度彩度補正スライダ５４ｄは、例えば、右に移動すると明度彩度値が大きくなって色が明るくなり、左に移動すると明度彩度値が小さくなって色が暗くなる。
【００４３】
統合選択欄５５ａは、複数のカラープロファイルＣＰを統合する際に加算方式又は平均方式のいずれか１つを選択するためのものである。ファイル名入力欄５５ｂ，５５ｄは、統合対象のファイル名を入力する欄であり、例えば、「xxx1.icc」、「xxx2.icc」と入力されている。ファイル参照ボタン５５ｃ，５５ｅは、ＰＣ１０内の記憶部１４に存在するカラープロファイルＣＰを参照するためのボタンである。
【００４４】
プレビューボタン５６は、補正操作欄５４又は統合操作欄５５の操作により補正又は統合されたカラープロファイルＣＰを適用した画像をプレビュー画面５８に表示させるためのボタンである。登録ボタン５７は、補正又は統合されたカラープロファイルＣＰをＰＣ１０に出力するためのボタンである。プレビュー画面５８は、補正又は統合されたカラープロファイルＣＰを適用した画像の例を表示するためのものである。
【００４５】
図９は、図３中のプロファイル登録画面６０の例を示す図である。
プロファイル登録画面６０は、図３のＰＣ１０が登録命令ＥＣを出力するために表示部１３に表示する画面である。プロファイル登録画面６０の左上部には、カラープロファイル入力テキストボックス６１が入力可能に設けられている。カラープロファイル入力テキストボックス６１の下方には、課題入力欄６２が入力可能に設けられている。課題入力欄６２の下方には、コメント入力欄６３が入力可能に設けられている。コメント入力欄６３の下方には、キーワード入力欄６４が入力可能に設けられている。キーワード入力欄６４の下方には、アップロードボタン６５が押下可能に設けられている。更に、プロファイル登録画面６０の右側にはプレビュー画面６６が表示されている。
【００４６】
カラープロファイル入力テキストボックス６１は、ファイル名入力欄６１ａ及びファイル参照ボタン６１ｂを有している。キーワード入力欄６４は、キーワード表示欄６４ａ、キーワード候補一覧６４ｂ、及び他候補表示ボタン６４ｃを有している。
【００４７】
ファイル名入力欄６１ａは、登録するためのファイル名を入力する欄であり、例えば、「xxx.icc」と入力されている。ファイル参照ボタン６１ｂは、図３のＰＣ１０内の記憶部１４に存在するカラープロファイルＣＰを参照するためのボタンである。課題入力欄６２は、図５のプロファイルデータベース３３ａ内の課題３３ａ２に記憶されるカラープロファイルＣＰが解決する課題を入力するためのものである。コメント入力欄６３は、プロファイルデータベース３３ａ内のコメント３３ａ４に記憶される解決手段を入力するためのものである。
【００４８】
キーワード表示欄６４ａは、プロファイルデータベース３３ａ内のキーワード情報３３ａ３に記憶されるキーワードを入力するためのものである。キーワード候補一覧６４ｂは、課題入力欄６２及びコメント入力欄６３に入力された入力内容から抽出されたキーワードを表示するためのものであり、このキーワードを選択すると、キーワード表示欄６４ａに表示されるようになっている。他候補表示ボタン６４ｃは、キーワード候補一覧６４ｂに表示されているキーワード以外のキーワードを表示させるためのボタンである。プレビュー画面６６は、ファイル名入力欄６１ａに表示されたカラープロファイルＣＰを適用した画像の例を表示するためのものである。
【００４９】
（実施例１のプロファイルサーバの動作）
図１０は、図１のプロファイルサーバ３０の検索処理の動作を示すフローチャートである。
【００５０】
図５、図７及び図１０を参照しつつ、図１のプロファイルサーバ３０の検索処理を説明する。
【００５１】
図１の入出力部３２に検索命令ＲＣが入力されると、図１０のステップＳ１１の検索手段判定処理へ進む。ステップＳ１１において、制御指示部３９は、図７のプロファイル検索画面４０において検索開始ボタン４１ｂ，４２ｂ，４３ｃのいずれかが押下されたかを判定する。検索開始ボタン４１ｂが押下されたと判定された場合、ステップＳ１２の課題取得処理へ進む。検索開始ボタン４２ｂが押下されたと判定された場合、ステップＳ１４のキーワード取得処理へ進む。検索開始ボタン４３ｃが押下されたと判定された場合、ステップＳ１７のプロファイル取得処理へ進む。
【００５２】
ステップＳ１２において、制御指示部３９は、課題入力欄４１ａに入力された課題を取得する。制御指示部３９は、取得した課題をキーワード抽出部３４へ出力し、ステップＳ１３のキーワード抽出処理へ進む。
【００５３】
ステップＳ１３において、キーワード抽出部３４は、入力された課題からキーワードを抽出する。キーワード抽出部３４は、抽出したキーワードをプロファイル検索部３５へ出力し、ステップＳ１５のキーワード検索処理へ進む。
【００５４】
ステップＳ１４において、制御指示部３９は、キーワード入力欄４２ａに入力されたキーワードを取得する。制御指示部３９は、取得したキーワードをプロファイル検索部３５へ出力し、ステップＳ１５のキーワード検索処理へ進む。
【００５５】
ステップＳ１５において、プロファイル検索部３５は、入力されたキーワードが図５のプロファイルデータベース３３ａ内のキーワード情報３３ａ３に存在するか否かを検索する。プロファイル検索部３５は、検索された第１のカラープロファイルとしてのカラープロファイルＣＰのキーワードを入出力部３２を介してＰＣ１０へ出力し、ステップＳ１６の検索結果判定処理へ進む。
【００５６】
ステップＳ１６において、プロファイル検索部３５は、ステップＳ１５における検索結果が所定数以上であるか否かを判定する。検索結果が所定数以上であると判定された場合（ＹＥＳ）、ステップＳ１９の類似プロファイル選択処理へ進み、検索結果が所定数未満であると判定された場合（ＮＯ）、検索したカラープロファイルＣＰのファイル名を差分抽出部３６へ出力し、ステップＳ１８の類似プロファイル検索処理へ進む。
【００５７】
ステップＳ１７において、制御指示部３９は、ファイル名入力欄４３ａに入力された第１のカラープロファイルとしてのカラープロファイルＣＰのファイル名を取得する。制御指示部３９は、取得したファイル名を差分抽出部３６へ出力し、ステップＳ１８の類似プロファイル検索処理へ進む。
【００５８】
ステップＳ１８において、差分抽出部３６は、入力されたカラープロファイルＣＰのファイル名から基準カラープロファイルＳＰとの差分を算出し、ＤＬＵＴ３６ａに記憶する。差分抽出部３６は、ＤＬＵＴ３６ａから入力されたカラープロファイルＣＰに類似する第２のカラープロファイルとしてのカラープロファイルＣＰのファイル名をプロファイル検索部３５へ出力する。プロファイル検索部３５は、入力されたカラープロファイルＣＰのファイル名からカラープロファイルＣＰを検索し、検索結果を入出力部３２を介してＰＣ１０へ出力し、ステップＳ１９の類似プロファイル選択処理へ進む。
【００５９】
ステップＳ１９において、制御指示部３９は、検索結果表示欄４４に表示されたカラープロファイルＣＰの課題の中から選択されたカラープロファイルＣＰの課題を取得する。制御指示部３９は、取得したカラープロファイルＣＰの課題を制御部３１へ出力し、ステップＳ２０のプロファイル出力処理へ進む。
【００６０】
ステップＳ２０において、制御部３１は、入力されたカラープロファイルＣＰの課題に基づいてプロファイル記憶部３３からカラープロファイルＣＰを読み出し、読み出したカラープロファイルＣＰを入出力部３２へ出力する。その後、入出力部３２は、カラープロファイルＣＰをＰＣ１０へ出力して、処理を終了する。
【００６１】
図１１は、図１のプロファイルサーバ３０の補正統合処理の動作を示すフローチャートである。
【００６２】
図８及び図１１を参照しつつ、図１のプロファイルサーバ３０の補正統合処理を説明する。
【００６３】
図１の入出力部３２に補正命令ＳＣ又は統合命令ＵＣが入力されると、図１１のステップＳ２１の補正／統合判定処理へ進む。ステップＳ２１において、制御指示部３９は、図８のプロファイル補正統合画面５０において色調補正チェックボックス５１又は統合チェックボックス５２のいずれかが選択されたかを判定する。色調補正チェックボックス５１が選択されたと判定された場合、ステップＳ２２のパラメータ取得処理へ進む。統合チェックボックス５２が選択されたと判定された場合、ステップＳ２４のプロファイル取得処理へ進む。
【００６４】
ステップＳ２２において、制御指示部３９は、ファイル名入力欄５３ａに入力されたカラープロファイルＣＰのファイル名と、ガンマ補正スライダ５４ａ、色相補正スライダ５４ｂ、及び明度彩度補正スライダ５４ｃによって補正したガンマ値、色相値、及び明度彩度値と、を取得する。制御指示部３９は、取得したガンマ値、色相値、及び明度彩度値をプロファイル補正部３７へ出力し、ステップＳ２３のプロファイル補正処理へ進む。
【００６５】
ステップＳ２３において、プロファイル補正部３７は、入力されたカラープロファイルＣＰのファイル名からプロファイル記憶部３３に記憶されているカラープロファイルＣＰを読み出し、入力されたガンマ値、色相値、及び明度彩度値から読み出したカラープロファイルＣＰを補正する。プロファイル補正部３７は、補正したカラープロファイルＣＰを制御部３１へ出力し、ステップＳ２８のプロファイル保存処理へ進む。
【００６６】
ステップＳ２４において、制御指示部３９は、ファイル名入力欄５５ｂ，５５ｄに入力されたカラープロファイルＣＰのファイル名を取得し、ステップＳ２５の統合方式判定処理へ進む。
【００６７】
ステップＳ２５において、制御指示部３９は、統合選択欄５５ａにて加算方式又は平均方式のいずれかを選択されたかを判定する。加算方式が選択されたと判定された場合、取得したカラープロファイルＣＰのファイル名をプロファイル統合部３８へ出力し、ステップＳ２７の加算方式統合処理へ進み、平均方式が選択されたと判定された場合、取得したカラープロファイルＣＰのファイル名をプロファイル統合部３８へ出力し、ステップＳ２６の平均方式統合処理へ進む。
【００６８】
ステップＳ２６において、プロファイル統合部３８は、入力された複数のカラープロファイルＣＰのファイル名からプロファイル記憶部３３に記憶されているカラープロファイルＣＰを読み出し、平均方式にて統合して１つのカラープロファイルＣＰを生成する。プロファイル統合部３８は、生成したカラープロファイルＣＰを制御部３１へ出力し、ステップＳ２８のプロファイル保存処理へ進む。
【００６９】
ステップＳ２７において、プロファイル統合部３８は、入力された複数のカラープロファイルＣＰのファイル名からプロファイル記憶部３３に記憶されているカラープロファイルＣＰを読み出し、加算方式にて統合して１つのカラープロファイルＣＰを生成する。プロファイル統合部３８は、生成したカラープロファイルＣＰを制御部３１へ出力し、ステップＳ２８のプロファイル保存処理へ進む。
【００７０】
ステップＳ２８において、制御部３１は、入力されたカラープロファイルＣＰを入出力部３２へ出力する。その後、入出力部３２は、カラープロファイルＣＰをＰＣ１０へ出力して、処理を終了する。
【００７１】
図１２は、図１のプロファイルサーバ３０の登録処理の動作を示すフローチャートである。
【００７２】
図９及び図１２を参照しつつ、図１のプロファイルサーバ３０の登録処理を説明する。
図１の入出力部３２に登録命令ＥＣが入力されると、図１２のステップＳ３１の入力情報取得処理へ進む。ステップＳ３１において、制御指示部３９は、カラープロファイルＣＰと、図９のプロファイル登録画面６０においてファイル名入力欄６１ａに入力されたカラープロファイルＣＰのファイル名、課題入力欄６２に入力された課題、及びコメント入力欄６３に入力された解決手段を取得する。制御指示部３９は、取得したカラープロファイルＣＰを制御部３１へ、ファイル名を差分抽出部３６へ、取得した課題及び解決手段をキーワード抽出部３４へそれぞれ出力し、ステップＳ３２の課題キーワード抽出処理へ進む。
【００７３】
ステップＳ３２において、キーワード抽出部３４は、入力された課題から第１のキーワード情報としてのキーワードを抽出する。キーワード抽出部３４は、入力された課題及び抽出したキーワードを制御部３１へ出力し、ステップＳ３３のコメントキーワード抽出処理へ進む。
【００７４】
ステップＳ３３において、キーワード抽出部３４は、入力された解決手段から第１のキーワード情報としてのキーワードを抽出する。キーワード抽出部３４は、入力された解決手段及び抽出したキーワードを制御部３１へ出力し、ステップＳ３４の類似プロファイル検索処理へ進む。
【００７５】
ステップＳ３４において、差分抽出部３６は、入力された第１のカラープロファイルとしてのカラープロファイルＣＰのファイル名から基準カラープロファイルＳＰとの差分を算出し、ＤＬＵＴ３６ａに記憶する。差分抽出部３６は、ＤＬＵＴ３６ａから入力されたカラープロファイルＣＰに類似する第２のカラープロファイルとしてのカラープロファイルＣＰのファイル名をプロファイル検索部３５へ出力する。プロファイル検索部３５は、入力されたカラープロファイルＣＰのファイル名から図５のプロファイルデータベース３３ａ内の課題３３ａ２及びコメント３３ａ４を検索し、検索結果をキーワード抽出部３４へ出力し、ステップＳ３５の類似キーワード抽出処理へ進む。
【００７６】
ステップＳ３５において、キーワード抽出部３４は、入力された課題及び解決手段から第２のキーワード情報としてのキーワードを抽出する。キーワード抽出部３４は、抽出したキーワードを入出力部３２を介してＰＣ１０へ出力し、ステップＳ３６のキーワード選択処理へ進む。
【００７７】
ステップＳ３６において、制御指示部３９は、キーワード表示欄６４ａに表示されたキーワードを取得する。制御指示部３９は、取得したキーワードを制御部３１へ出力し、ステップＳ３７のプロファイル登録処理へ進む。
【００７８】
ステップＳ３７において、制御部３１は、入力されたカラープロファイルＣＰをプロファイル記憶部３３に記憶する。その後、制御部３１は、入力された課題をプロファイルデータベース３３ａ内の課題３３ａ２に、解決方法をコメント３３ａ４に、キーワードをキーワード情報３３ａ３に、カラープロファイルＣＰのファイル名をプロファイルデータ３３ａ５に、それぞれ記憶して処理を終了する。
【００７９】
（実施例１の効果）
本実施例１のプロファイルサーバ３０によれば、次の（Ａ）〜（Ｃ）のような効果がある。
【００８０】
（Ａ）  カラープロファイルＣＰの補正可能
キーワード抽出部３４は、プロファイル検索画面４０において入力する課題入力欄４１ａの入力内容からキーワードを抽出する。プロファイル検索部３５は、プロファイルデータベース３３ａからカラープロファイルＣＰを検索し、プロファイル補正部３７及びプロファイル統合部３８は、検索したカラープロファイルＣＰの補正及び統合を行う。これにより、プリンタ２０の利用者は、プロファイルデータベース３３ａから好みのカラープロファイルＣＰを検索して補正及び統合することが可能となる。
【００８１】
（Ｂ）  他の利用者と共有可能
プロファイル記憶部３３は、プロファイル登録画面６０において、プロファイル補正部３７及びプロファイル統合部３８が補正及び統合したカラープロファイルＣＰを記憶する。これにより、プリンタ２０の利用者が補正及び統合したカラープロファイルＣＰを他の利用者と共有できる。
【００８２】
（Ｃ）  類似するカラープロファイルＣＰの検索可能
キーワード抽出部３４は、登録しようとするカラープロファイルＣＰからキーワードを抽出すると共に、このカラープロファイルＣＰに類似するカラープロファイルＣＰのキーワードも抽出する。これにより、プリンタ２０の利用者は、プロファイルデータベース３３ａから好みのカラープロファイルＣＰに類似するカラープロファイルＣＰを検索して補正及び統合することで、好みのカラープロファイルＣＰを容易に作成することが可能となる。
【００８３】
（変形例）
本発明は、上記実施例１に限定されず、種々の利用形態や変形が可能である。この利用形態や変形例としては、例えば、次の（ａ）〜（ｆ）のようなものがある。
【００８４】
（ａ）  実施例１では、カラープロファイル提供システム１はＰＣ１０、プリンタ２０、及びプロファイルサーバ３０を有する構成としたが、ＰＣ１０内にプロファイルサーバ３０の機能を設け、ＰＣ１０及びプリンタ２０を有する構成としてもよい。又、プリンタ２０内にプロファイルサーバ３０の機能を設け、プリンタ２０のみの構成としてもよい。このように変更しても、実施例１と同様の効果が得られる。
【００８５】
（ｂ）  実施例１では、プロファイルサーバ３０は検索命令ＲＣ、補正命令ＳＣ、統合命令ＵＣ、及び登録命令ＥＣを入力する構成としたが、他の命令を入力する構成としてもよい。このように変更しても、実施例１と同様の効果が得られる。
【００８６】
（ｃ）  実施例１では、ＰＣ１０の表示部１３に表示されるプロファイル検索画面４０、プロファイル補正統合画面５０、及びプロファイル登録画面６０は、インターネットブラウザ上の操作画面として説明したが、専用ソフトウェアを用いて表示される構成にしてもよい。このように変更しても、実施例１と同様の効果が得られる。
【００８７】
（ｄ）  実施例１では、プロファイルデータベース３３ａをＩＤ３３ａ１、課題３３ａ２、キーワード情報３３ａ３、コメント３３ａ４、及びファイル名３２ａ５を有する構成としたが、他の構成にしてもよい。
【００８８】
（ｅ）  実施例１では、ＰＣ１０が画像データＩＤ及びカラープロファイルＣＰをプリンタ２０へ出力する構成としたが、ＵＳＢメモリ等が画像データＩＤのみをプリンタ２０へ出力する構成にし、他の装置がカラープロファイルＣＰをプリンタ２０へ出力する構成にしてもよい。
【００８９】
（ｆ）  実施例１では、画像形成装置２０としてカラー電子写真プリンタを例に説明したが、ファクシミリ装置、複写機、複合機（Multi  Function  Printer；ＭＦＰ）等の他の装置においても使用可能である。
【符号の説明】
【００９０】
２０  プリンタ
３０  プロファイルサーバ
３２  入出力部
３３  プロファイル記憶部
３３ａ  プロファイルデータベース
３４  キーワード抽出部
３５  プロファイル検索部
３６  差分抽出部
３６ａ  ＤＬＵＴ
３７  プロファイル補正部
３８  プロファイル統合部
ＣＰ  カラープロファイル
ＲＣ  検索命令
ＳＣ  補正命令
ＵＣ  統合命令
ＥＣ  登録命令
ＩＤ  画像データ
【図１】
2018107838.tif 000003
【図２】
2018107838.tif 000004
【図３】
2018107838.tif 000005
【図４】
2018107838.tif 000006
【図５】
2018107838.tif 000007
【図６】
2018107838.tif 000008
【図７】
2018107838.tif 000009
【図８】
2018107838.tif 000010
【図９】
2018107838.tif 000011
【図１０】
2018107838.tif 000012
【図１１】
2018107838.tif 000013
【図１２】
2018107838.tif 000014